(57)【要約】【課題】  旋盤の規模や形状に左右されることなく切粉除去活動を可能とした切粉除去装置付き旋盤を提供する。【解決手段】  この切粉除去装置付き旋盤１は、切削時に発生した切粉をワークに巻き付かないように除去する切粉除去装置１１を、主軸５の下方に設置したものである。切粉除去装置１１は、昇降ガイド１２と、上端に切粉除去片１５が突出し下部が前記昇降ガイド１２に昇降自在に被さった除去片設置部材１３と、この除去片設置部材１３を昇降させる昇降装置とでなる。除去片設置部材１３の上面は、前記切粉除去片１５の突出部分が最も高くて側方に至るに従って次第に低くなる形状としている。【選択図】      図２
2005329523.tif 000002
【特許請求の範囲】
【請求項１】
ワークを支持して回転させる主軸と、回転するワークに相対的に接近してワークを切削する工具と、主軸の下方に設けられ切削時に発生した切粉をワークに巻き付かないように除去する切粉除去装置とを備えた切粉除去装置付き旋盤。
【請求項２】
前記切粉除去装置は、昇降ガイドと、上端に切粉除去片が突出し下部が前記昇降ガイドに昇降自在に被さった除去片設置部材と、この除去片設置部材を昇降させる昇降装置とでなり、前記除去片設置部材の上面は、前記切粉除去片の突出部分が最も高くて側方に至るに従って次第に低くなる形状とした請求項１記載の切粉除去装置付き旋盤。
【請求項３】
前記切粉除去片が、前記除去片設置部材に交換自在に取付けられるものであって、この切粉除去片の先端部が、ワーク外周面の軸心方向の断面形状に沿う形状のものである請求項２記載の切粉除去装置付き旋盤。
【発明の詳細な説明】
【技術分野】
【０００１】
この発明は、切削時に発生した切粉をワークに巻き付かないように除去する切粉除去装置を付加した切粉除去装置付き旋盤に関する。
【背景技術】
【０００２】
従来、この種の切粉除去装置付き旋盤では、図７のように、加工領域である主軸チャック２５ａの配置部よりも上方に切粉除去装置３１を設けていた。切粉除去装置３１は、板金からなる切粉除去片３５と、主軸チャック２５ａに把持されて切削加工されるワークの近傍まで前記切粉除去片３５を進退させるシリンダ３４とを有するものである。
【発明の開示】
【発明が解決しようとする課題】
【０００３】
しかし、このように切粉除去装置３１を加工領域の上方に設ける構成の場合、旋盤の規模や形状によっては、常に上方からの切粉除去活動が可能であるとは限らない。例えば、機体カバーの高さを低くした比較的小型の旋盤では、主軸チャック２５ａの上方に切粉除去装置３１を設置する空間が確保できない場合がある。
【０００４】
この発明の目的は、旋盤の規模や形状に左右されることなく切粉除去活動を可能とした切粉除去装置付き旋盤を提供することである。
この発明の他の目的は、切粉除去装置を加工領域の下方に配置しながら、切粉が切粉除去装置に溜まることが防止され、かつ昇降ガイドに切粉が付着して除去片設置部材の昇降の妨げとなることが防止されるものとすることである。
この発明のさらに他の目的は、種々の形状のワークについて、効率良く切粉の除去が行えるものとすることである。
【課題を解決するための手段】
【０００５】
この発明の切粉除去装置付き旋盤は、ワークを支持して回転させる主軸と、回転するワークに相対的に接近してワークを切削する工具と、主軸の下方に設けられ切削時に発生した切粉をワークに巻き付かないように除去する切粉除去装置とを備えるものである。
この構成によると、切粉除去装置を主軸の下方に設けているので、主軸台やベッドの高さで、切粉除去装置を設置する空間高さを確保することが容易である。そのため、旋盤の規模や形状に左右されることなく、切粉除去活動が可能となる。
【０００６】
前記切粉除去装置は、昇降ガイドと、上端に切粉除去片が突出し下部が前記昇降ガイドに昇降自在に被さった除去片設置部材と、この除去片設置部材を昇降させる昇降装置とでなるものであっても良い。その場合、前記除去片設置部材の上面は、前記切粉除去片の突出部分が最も高くて側方に至るに従って次第に低くなる形状とすることが好ましい。
この構成の場合、除去片設置部材を昇降装置で昇降させることにより、切粉除去の不要なときや、ワーク交換等のために切粉除去片が邪魔となるときは、下降位置に退避させておくことができる。除去片設置部材の上面は、前記切粉除去片の突出部分が最も高くて側方に至るに従って次第に低くなる形状とされているため、切粉除去片で除去されて落下する切粉が、除去片設置部材の上面を滑って切粉除去装置の外側に排除される。そのため、加工領域よりも下方に切粉除去装置を配置しながら、切粉除去装置の上に切粉が溜まることがない。また、除去片設置部材は昇降ガイドに被さるものとしているため、落下する切粉が昇降ガイドに付着して昇降に支障が生じることを回避できる。
【０００７】
前記切粉除去片は、前記除去片設置部材に交換自在に取付けられるものであって、この切粉除去片の先端部が、ワーク外周面の軸心方向の断面形状に沿う形状のものであっても良い。
切粉除去片の先端部がワーク外周面に沿う形状のものであると、ワークの全体について効率良く切粉の除去が行える。切粉除去片が除去片設置部材に交換自在に取付けられるものであると、各種のワーク形状に応じた切粉除去片を準備しておき、交換して取付けることができて、各種形状のワークについて、上記の効率の良い切粉除去が行える。
【発明の効果】
【０００８】
この発明の切粉除去装置付き旋盤は、ワークを支持して回転させる主軸と、回転するワークに相対的に接近してワークを切削する工具と、主軸の下方に設けられ切削時に発生した切粉をワークに巻き付かないように除去する切粉除去装置とを備えるものとしたため、旋盤の規模や形状に左右されることなく切粉除去活動が可能である。
前記切粉除去装置を、昇降ガイドと、上端に切粉除去片が突出し下部が前記昇降ガイドに昇降自在に被さった除去片設置部材と、この除去片設置部材を昇降させる昇降装置とでなり、前記除去片設置部材の上面を、前記切粉除去片の突出部分が最も高くて側方に至るに従って次第に低くなる形状とした場合は、切粉除去装置を加工領域の下方に配置しながら、切粉が切粉除去装置に溜まることが防止され、かつ昇降ガイドに切粉が付着して除去片設置部材の昇降の妨げとなることが防止される。
前記切粉除去片が、前記除去片設置部材に交換自在に取付けられるものであって、この切粉除去片の先端部が、ワーク外周面の軸心方向の断面形状に沿う形状のものである場合は、種々の形状のワークについて、効率良く切粉の除去が行える。
【発明を実施するための最良の形態】
【０００９】
この発明の第１の実施形態を図１ないし図５と共に説明する。図１および図２は、この実施形態の切粉除去装置付き旋盤の一部破断平面図および斜視図を示す。
この切粉除去装置付き旋盤１はタレット式の旋盤であって、全体を加工室２と、駆動室３とに仕切った機体カバー４で覆ってあり、加工室２内に主軸５の主軸チャック５ａと刃物台であるタレット６とが突出している。タレット６は正面形状が多角形のドラム状のものであり、各周面部分からなる工具ステーションに、回転するワークを切削するバイト等の工具１０や回転工具が装着される。タレット６は、駆動室３内で横方向（Ｘ軸方向）に進退するタレットキャリッジ７に前後（Ｚ軸方向）移動自在に搭載され、かつタレットキャリッジ７に装備された割出機構（図示せず）により、割出回転が行われる。主軸５は主軸台９に設置してある。
【００１０】
加工室２における主軸５の下方位置には、切削加工時に発生した切粉をワークに巻き付かないように除去する切粉除去装置１１が設置されている。図３および図４に、その切粉除去装置１１の側面図および正面図を示し、図５にその斜視図を示す。この切粉除去装置１１は、昇降ガイド１２と、上端に切粉除去片１５が突出し下部が前記昇降ガイド１２に昇降自在に被さった除去片設置部材１３と、この除去片設置部材１３を昇降させる昇降装置１４とで構成される。昇降ガイド１２は、加工室２と駆動室３を仕切る仕切壁８に設けられている。昇降装置１４は例えばシリンダからなり、前記昇降ガイド１２内に設置されている。
【００１１】
除去片設置部材１３は、水平断面が矩形の筒状とされ、その上面は、前記切粉除去片１５の突出部分１３ａが最も高くて、側方に至るに従って次第に低くなる形状とされている。具体的には、除去片設置部材１３の上面のうち、切粉除去片１５の突出部分１３ａは板状とされ、その水平断面の長手方向が主軸５と平行となる前後（Ｚ軸方向）に向く姿勢とされている。また、前記突出部分１３ａの側面に続き横方向（Ｘ軸方向）に向く肩部１３ｂが横方向に向けて次第に低くなる形状とされている。
【００１２】
昇降ガイド１２は、除去片設置部材１３の被さるガイド部１２ａと、このガイド部１２ａの下端に設けられてベッドまたは仕切壁８等に取付けるための基部１２ｂとを有する。基部１２ｂは、仕切壁８に対向する前面および一側面に張り出しており、基部１２の側方突出部分の上面は、下降傾斜する傾斜面１２ｂａとされている。
【００１３】
切粉除去片１５は、除去片設置部材１３の突出部分１３ａに交換自在に取付けられるものである。ここでは、切粉除去片１５は、図５のように前記板状の突出部分１３ａの上端に開口するスリット状の切粉除去片挿通孔１３ａａに差し込んで、突出部分１３ａの側面からボルト等の締結具１６で締結することにより取付けられる。切粉除去片１５の先端部は、図６のように、ワークＷの外周面の軸心方向の断面形状に沿う形状とされている。
【００１４】
この構成の切粉除去装置付き旋盤１によると、切削加工時に、切粉除去装置１１の除去片設置部材１３を昇降装置１４で上昇させて、切粉除去片１５をワークＷの近くまで接近させる。これにより、切削加工で発生した切粉を切粉除去片１５でワークＷから遠ざけることができ、切粉がワークＷに巻き付くことが防止される。
また、この切粉除去装置付き旋盤１では、切粉除去装置１１を主軸５の下方に設けているので、主軸台９やベッドの高さにより、切粉除去装置１１を設置する空間高さを確保することが容易である。そのため、旋盤の規模や形状に左右されることなく、切粉除去活動が可能となる。
【００１５】
また、この実施形態では、除去片設置部材１３の上面が、切粉除去片１５の突出部分が最も高くて側方に至るに従って次第に低くなる形状とされているため、切粉除去片１５で除去されて落下する切粉は、除去設置部材１３の上面を滑って切粉除去装置１１の外側に排除される。そのため、加工領域よりも下方に切粉除去装置１１を配置しながら、切粉除去装置１１の上に切粉が溜まることがない。また、除去片設置部材１３は昇降ガイド１２の全周に被さるものとしているため、落下する切粉が昇降ガイド１２に付着して昇降に支障が生じることを回避できる。除去片設置部材１３の肩部１３ｂに切粉が溜まったとしても、クーラントブローによりその切粉を容易に押し流すことができる。
【００１６】
この実施形態では、切粉除去片１５が、図５のように除去片設置部材１３に交換自在に取付けられ、切粉除去片１５の先端部が、図６のようにワークＷの外周面の軸心方向の断面形状に沿う形状とされている。そのため、ワークＷの形状に合わせて切粉除去片１５を選択することにより、ワークＷの切削加工で発生する切粉を効果的に除去することができる。
【図面の簡単な説明】
【００１７】
【図１】この発明の一実施形態にかかる切粉除去装置付き旋盤の部分破断平面図である。
【図２】同旋盤の斜視図である。
【図３】同旋盤における切粉除去装置の側面図である。
【図４】同切粉除去装置の正面図である。
【図５】同切粉除去装置の斜視図である。
【図６】同切粉除去装置の切粉除去片とワークとの関係を示す説明図である。
【図７】従来例の説明図である。
【符号の説明】
【００１８】
５…主軸
１０…工具
１１…切粉除去装置
１２…昇降ガイド
１３…除去片設置部材
１３ａ…突出部分
１３ｂ…肩部
１４…昇降装置
１５…切粉除去片
Ｗ…ワーク
【図１】
2005329523.tif 000003
【図２】
2005329523.tif 000004
【図３】
2005329523.tif 000005
【図４】
2005329523.tif 000006
【図５】
2005329523.tif 000007
【図６】
2005329523.tif 000008
【図７】
2005329523.tif 000009